(57)【要約】【課題】  冷陰極蛍光ランプからの光の利用効率を向上させたバックライト装置を用いて液晶表示パネルの表示画面に高輝度，高品位の画像表示が得る。【解決手段】  内面に画素形成用の電極を有する一対の透明基板の間に液晶層を挟持して構成された液晶表示パネルＰＮＬの背面側に配設されるバックライト装置ＢＬは、液晶表示パネルＰＮＬの背面に面状光源光を照射する複数の冷陰極蛍光ランプＣＦＬと、複数の冷陰極蛍光ランプＣＦＬの背面に対向して設置されて複数の冷陰極蛍光ランプＣＦＬと対向する長さ方向に沿って正反射面となる凹溝ＤＴＨが一体形成された反射体ＲＥＭと、この反射体ＲＥＭの表面に形成された反射膜ＲＥＳとから構成することにより、液晶表示パネルＰＮＬの背面にバックライト装置ＢＬから高輝度の面状光源光が照射される。【選択図】    図２
2006119600.tif 000002
【特許請求の範囲】
【請求項１】
液晶表示パネルの背面に対向して並列に等間隔に配列して設置され、かつ当該液晶表示パネルの背面に面状光源光を照射する複数の線状光源と、
前記複数の線状光源の背面に対向して設置され、かつ当該複数の線状光源と対向する長さ方向に沿って凹部が一体形成された金属材の成形体からなる反射体と、
を備えたことを特徴とするバックライト装置。
【請求項２】
液晶表示パネルの背面に対向して並列に等間隔に配列して設置され、かつ当該液晶表示パネルの背面に面状光源光を照射する複数の線状光源と、
前記複数の線状光源の背面に対向して設置され、かつ当該複数の線状光源と対向する長さ方向に沿って凹部が一体形成された樹脂材の成形体からなる反射体と、
を備えたことを特徴とするバックライト装置。
【請求項３】
液晶表示パネルの背面に対向して並列に等間隔に配列して設置され、かつ当該液晶表示パネルの背面に面状光源光を照射する複数の線状光源と、
前記複数の線状光源の背面に対向して設置され、かつ当該複数の線状光源と対向する長さ方向に沿って凹部が一体形成された樹脂材の成形体からなる反射体と、
前記反射体の前記凹部の表面に形成された反射膜と、
を備えたことを特徴とするバックライト装置。
【請求項４】
前記凹部は、前記複数の線状光源を背面側から囲む略楕円曲面とすることを特徴とする請求項１乃至請求項３の何れかに記載のバックライト装置。
【請求項５】
前記樹脂材は、シクロオレフィン樹脂とすることを特徴とする請求項２に記載のバックライト装置。
【請求項６】
前記樹脂材は、反射性金属粉末が含有されていることを特徴とする請求項２に記載にバックライト装置。
【請求項７】
前記反射体は、その各反射体の前記凹部の底部中心近傍に前記線状光源の長さ方向に沿って複数個配置された射出成形後のバルブゲート口を有することを特徴とする請求項２または請求項３に記載のバックライト装置。
【請求項８】
前記反射体は、その各反射体の一部の前記凹部の底部中心近傍に配置された射出成形後のバルブゲート口を有することを特徴とする請求項２または請求項３に記載のバックライト装置。
【請求項９】
内面に画素形成用の電極を有する一対の透明基板の間に液晶層を挟持して構成された液晶表示パネルと、
前記液晶表示パネルの背面に設置された光学補償シート積層体と、
前記光学補償シート積層体の背面に設置されたバックライト装置と、
を備え、
前記バックライト装置は、液晶表示パネルの背面に対向して等間隔に並列に配列して設置され、かつ当該液晶表示パネルの背面に面状光源光を照射する複数の線状光源と、
前記複数の線状光源の背面に対向して設置され、かつ当該複数の線状光源と対向する長さ方向に沿って凹部が一体形成された金属材の成形体からなる反射体と、
を有することを特徴とする液晶表示装置。
【請求項１０】
内面に画素形成用の電極を有する一対の透明基板の間に液晶層を挟持して構成された液晶表示パネルと、
前記液晶表示パネルの背面に設置された光学補償シート積層体と、
前記光学補償シート積層体の背面に設置されたバックライト装置と、
を備え、
前記バックライト装置は、液晶表示パネルの背面に対向して並列に等間隔に配列して設置され、かつ当該液晶表示パネルの背面に面状光源光を照射する複数の線状光源と、
前記複数の線状光源の背面に対向して設置され、かつ当該複数の線状光源と対向する長手方向に沿って凹部が一体形成された樹脂材の成形体からなる反射体と、
を有することを特徴とする液晶表示装置。
【請求項１１】
内面に画素形成用の電極を有する一対の透明基板の間に液晶層を挟持して構成された液晶表示パネルと、
前記液晶表示パネルの背面に設置された光学補償シート積層体と、
前記光学補償シート積層体の背面に設置されたバックライト装置と、
を備え、
前記バックライト装置は、液晶表示パネルの背面に対向して並列に等間隔に配列して設置され、かつ当該液晶表示パネルの背面に面状光源光を照射する複数の線状光源と、
前記複数の線状光源の背面に対向して設置され、かつ当該複数の線状光源と対向する長さ方向に沿って凹部が一体形成された樹脂材の成形体からなる反射体と、
前記反射体の前記凹部の内面に形成された反射膜と、
を有することを特徴とする液晶表示装置。
【請求項１２】
前記光学補償シート積層体は、前記複数の線状光源側からプリズムレンズ，拡散シート及び偏光反射シートの順に積層されて構成されることを特徴とする請求項９乃至請求項１１の何れかに記載の液晶表示装置。
【請求項１３】
前記凹部は、前記複数の線状光源を背面から囲む略楕円曲面を有することを特徴とする請求項９乃至請求項１１の何れかに記載の液晶表示装置。
【請求項１４】
前記樹脂材は、シクロオレフィン樹脂とすることを特徴とする請求項１０に記載の液晶表示装置。
【請求項１５】
前記樹脂材は、反射性金属粉末が含有されていることを特徴とする請求項１０に記載の液晶表示装置。
【請求項１６】
前記反射体は、前記凹部の底部中心近傍に前記複数の線状光源の長さ方向に沿って射出成形後のバルブゲート口を有することを特徴とする請求項１０または請求項１１に記載の液晶表示装置。
【請求項１７】
前記反射体は、その各反射体の一部の前記凹部の底部中心近傍に配置された射出成形後のバルブゲート口を有することを特徴とする請求項１０または請求項１１に記載の液晶表示装置。
【発明の詳細な説明】
【技術分野】
【０００１】
本発明は、バックライト装置及び液晶表示装置に係り、特に液晶表示パネルの背面側に設置されて当該液晶表示パネルに光を照射する線状光源直下型バックライト装置及び当該バックライト装置を用いた液晶表示装置に関するものである。
【背景技術】
【０００２】
近年、パソコン，携帯電話機などの各種情報端末用モニターあるいはテレビ受像機などの表示手段として液晶表示装置が多用されている。この種の液晶表示装置は、液晶表示パネルに形成される電子画像に光を当てることによって可視化するものである。小型の情報機器では、この可視化のための光源に周囲光を利用する構造もあるが、周囲光の状態に係らず、又は比較的大きな画面で良好な画像を観察するためには、液晶表示パネルに照明光源を備え、液晶表示パネルに形成される電子画像をこの照明光源からの照明光で照明する構成としているものが多い。
【０００３】
小型の液晶表示装置では、液晶表示パネルの前面または周囲近傍に照明光源として、所謂フロントライト装置を設置した構造があるが、ノート型パソコンやコンピュータモニター及びテレビ受像機等では、液晶表示パネルの背面側に設置するバックライト装置と称する照明光源が採用される。
【０００４】
バックライト装置には、大別して２種類あり、その１つはノート型パソコンや機器の奥行き寸法が制限されるコンピュータモニター等に用いられるサイドエッジ型バックライト装置であり、他の１つは高輝度が要求される比較的大型のコンピュータモニター又はテレビ受像機には、液晶表示パネルの背面直下に設置される直下型バックライト装置である。
【０００５】
これらのバックライト装置は、その照明光源として主に冷陰極蛍光ランプが多く使用されている。この冷陰極蛍光ランプを使用したサイドエッジ型バックライト装置は、液晶表示パネルの背面に設置する導光体の側辺に冷陰極蛍光ランプを配置して構成されることから、比較的コンパクトに構成できる長所がある反面、光利用効率が低いという短所があり、直下型バックライト装置は、液晶表示パネルの背面側に導光体を配置せずに複数本の冷陰極蛍光ランプを併設して構成されることから、光利用効率が高く得られる長所がある反面、バックライト装置自体の厚さが大きくなってしまうという短所がある。
【０００６】
なお、光源としての複数本の直管型冷陰極蛍光ランプと、これらの各冷陰極蛍光ランプの液晶表示パネル側に配置される光拡散板と、偏光変換フィルム及びプリズムシートと、各冷陰極蛍光ランプの背面側に設置された反射板とから構成されるバックライト装置ついては、例えば、下記特許文献１に開示されている。また、この種のバックライト装置を液晶表示パネルの背面側に設置し、その光源光を液晶表示パネルの背面に照射するように構成された液晶表示装置については、例えば、下記特許文献２に開示されている。
【０００７】
【特許文献１】特開２００２−８２６２６号公報
【特許文献２】特開平６−７５２１６号公報
【発明の開示】
【発明が解決しようとする課題】
【０００８】
しかしながら、上記構成による液晶表示装置には、図１０に要部拡大断面図で示すようにデジタル表示を行う液晶表示パネルＰＮＬの背面側に所定距離離間してバックライト装置ＢＬが配設されている。このバックライト装置ＢＬは、光源としての複数の直管型冷陰極蛍光ランプＣＦＬと、各冷陰極蛍光ランプＣＦＬの液晶表示パネルＰＮＬ側に配設される拡散板ＤＦＰ及び拡散シートＤＦＳと、輝度向上シートＢＲＳと、偏光反射シートＰＲＳと、各冷陰極蛍光ランプＣＦＬの後方に設置される反射板ＲＥＰとからなり、拡散反射方式によるバックライトを構成している。
【０００９】
上記構成による拡散板ＤＲＰとしては、一般的に乳板が多く採用され、この乳板を拡散板ＤＲＰとして用いる構成では、図示したように複数の冷陰極蛍光ランプＣＦＬ及び反射板ＲＥＰから放射された光が乳板（拡散板ＤＦＰ）に入射されるが、この光拡散板ＤＦＰによる光の吸収及び戻り光が多いことに起因して光の利用効率が低下し、所定の輝度（光量）が得られないという課題があった。
【００１０】
また、所定の輝度（光量）を得るには、冷陰極蛍光ランプＣＦＬの使用本数を増大させる必要があり、これによってバックライト装置がコスト高となる課題があった。
【００１１】
また、冷陰極蛍光ランプの本数を増加させることによって輝度を向上させることができる反面、バックライト装置の消費電力を増加させることになり、さらにはバックライト装置の温度を上昇させ、この拡散板ＤＦＰ上に設置されている各種のシート類を熱変形させるなどの悪影響を与え、液晶表示パネルＰＮＬに表示される表示画像の表示品質を低下させるなどの新たな課題が発生する。
【００１２】
したがって、本発明は前述した従来の課題を解決するためになされたものあり、その目的は、冷陰極蛍光ランプから放射する光の利用効率を向上させ、冷陰極蛍光ランプの数量を低減させることにより、廉価化を達成できるバックライト装置を提供することにある。
【００１３】
また、本発明の他の目的は、冷陰極蛍光ランプ直下型バックライト装置を用いて液晶表示パネルの表示画面に輝度の高い高品位の表示画像が得られる液晶表示装置を提供することにある。
【課題を解決するための手段】
【００１４】
このような目的を達成するために本発明によるバックライト装置は、液晶表示パネルの背面に対向して並列に等間隔に配列して設置され、かつ当該液晶表示パネルの背面に面状光源光を照射する複数の線状光源と、当該複数の線状光源の背面に対向して設置され、かつ複数の線状光源と対向する長手方向に沿って凹部が一体形成された金属材の成形体からなる反射体とから構成することにより、複数の線状光源から放射された光が凹部の表面により反射された面状光源光とすることで背景技術の課題を解決することができる。
【００１５】
本発明による他のバックライト装置は、液晶表示パネルの背面に対向して並列に等間隔に配列して設置され、かつ当該液晶表示パネルの背面に面状光源光を照射する複数の線状光源と、当該複数の線状光源の背面に対向して設置され、かつ複数の線状光源と対向する長手方向に沿って凹部が一体形成された樹脂材の成形体からなる反射体とから構成することにより、複数の線状光源から放射された光が凹部の表面により反射された面状光源光とすることで背景技術の課題を解決することができる。
【００１６】
本発明によるさらに他のバックライト装置は、液晶表示パネルの背面に対向して並列に等間隔に配列して設置され、かつ当該液晶表示パネルの背面に面状光源光を照射する複数の線状光源と、当該複数の線状光源の背面に対向して設置され、かつ複数の線状光源と対向する長さ方向に沿って凹部が一体形成された樹脂材の成形体からなる反射体と、この反射体の凹面の表面に形成された反射膜とから構成することにより、複数の線状光源から放射された光が反射膜により反射された面状光源光とすることで背景技術の課題を解決することができる。
【００１７】
本発明によるバックライト装置は、好ましくは、上記構成において、凹部は複数の線状光源を背面側から囲む略楕円曲面とすることにより、線状光源から放射された光が反射されるので、背景技術の課題を解決することができる。
【００１８】
本発明によるバックライト装置は、好ましくは、上記構成において、反射体は、各反射体の凹部に底部中心近傍に線状光源の長さ方向に沿って複数個配置された射出成形後のバルブゲート口を有することにより、光学的に影響を与えることなく、線状光源から放射された光が反射されるので、背景技術の課題を解決することができる。
【００１９】
本発明によるバックライト装置は、好ましくは、上記構成において、各反射体の一部の凹部に底部中心近傍に線状光源の長さ方向に沿って射出成形後のバルブゲート口を有することにより、光学的に影響を与えることなく、線状光源から放射された光が反射されるので、背景技術の課題を解決することができる。
【００２０】
本発明によるバックライト装置は、好ましくは、上記構成において、樹脂材をシクロオレフィン樹脂とすることにより、反射体に射出成形に起因する形状変形などが起き難くなり、鏡面状の光反射膜が形成されるので、線状光源から放射された光が反射されるので、背景技術の課題を解決することができる。
【００２１】
本発明による液晶表示装置は、内面に画素形成用の電極を有する一対の透明基板の間に液晶層を挟持して構成された液晶表示パネルと、この液晶表示パネルの背面に設置された光学補償シート積層体と、この光学補償シート積層体の背面に設置されたバックライト装置とを備え、このバックライト装置は、液晶表示パネルの背面に対向して等間隔に並列に配列して設置され、かつ当該液晶表示パネルの背面に面状光源光を照射する複数の線状光源と、当該複数の線状光源の背面に対向して設置され、かつ複数の線状光源と対向する長さ方向に沿って凹部が一体形成された金属材の反射体とから構成することにより、液晶表示パネルの背面にバックライト装置から高輝度の反射光が照射されるので、背景技術の課題を解決することができる。
【００２２】
本発明による他の液晶表示装置は、内面に画素形成用の電極を有する一対の透明基板の間に液晶層を挟持して構成された液晶表示パネルと、この液晶表示パネルの背面に設置された光学補償シート積層体と、この光学補償シート積層体の背面に設置されたバックライト装置とを備え、このバックライト装置は、液晶表示パネルの背面に対向して並列に等間隔に配列して設置され、かつ当該液晶表示パネルの背面に面状光源光を照射する複数の線状光源と、当該複数の線状光源の背面に対向して設置され、かつ複数の線状光源と対向する長さ方向に沿って凹部が一体形成された樹脂材の成形体からなる反射体とから構成することにより、液晶表示パネルの背面にバックライト装置から高輝度の反射光が照射されるので、背景技術の課題を解決することができる。
【００２３】
本発明によるさらに他の液晶表示装置は、内面に画素形成用の電極を有する一対の透明基板の間に液晶層を挟持して構成された液晶表示パネルと、この液晶表示パネルの背面に設置された光学補償シート積層体と、この光学補償シート積層体の背面に設置されたバックライト装置とを備え、このバックライト装置は、液晶表示パネルの背面に対向して並列に等間隔に配列して設置され、かつ当該液晶表示パネルの背面に面状光源光を照射する複数の線状光源と、当該複数の線状光源の背面に対向して設置され、かつ複数の線状光源と対向する長さ方向に沿って凹部が一体形成された樹脂材の成形体からなる反射体と、この反射体の凹部の内面に形成された反射膜とから構成することにより、液晶表示パネルの背面にバックライト装置から高輝度の反射光が照射されるので、背景技術の課題を解決することができる。
【００２４】
本発明による液晶表示装置は、好ましくは、上記構成において、反射体の凹部は複数の線状光源を背部から囲む略楕円曲面とすることにより、線状光源から放射された光が反射され、液晶表示パネルの背面に高輝度の反射光が照射されるので、背景技術の課題を解決することができる。
【００２５】
本発明による他の液晶表示装置は、好ましくは、上記構成において、反射体は、各反射体の凹部に底部中心近傍に線状光源の長さ方向に沿って複数個配置された射出成形後のバルブゲート口を有することにより、液晶表示パネルの背面に光学的に影響されることなく、高輝度の反射光が照射されるので、背景技術の課題を解決することができる。
【００２６】
本発明によるさらに他の液晶表示装置は、好ましくは、上記構成において、反射体は、各反射体の一部の凹部に底部中心近傍に線状光源の長手方向に沿って射出成形後のバルブゲート口を有することにより、液晶表示パネルの背面に光学的に影響されることなく、高輝度の反射光が照射されるので、背景技術の課題を解決することができる。
【００２７】
本発明による液晶表示装置は、好ましくは、上記構成において、樹脂材をシクロオレフィン樹脂とすることにより、反射体の凹部内面に鏡面状の反射面が形成されるので、液晶表示パネルの背面に光学的に影響されることなく、高輝度の反射光が照射されるので、背景技術の課題を解決することができる。
【００２８】
なお、本発明は上記構成に限定されるものではなく、本発明の技術思想を逸脱することなく、種々の変更が可能である。
【発明の効果】
【００２９】
本発明によるバックライト装置によれば、複数の線状光源から放射された光が反射体により反射されるので、光の利用効率の高い高輝度の面状光源光が得られるという極めて優れた効果を有する。また、所望の輝度を得る場合には、線状光源の数量を低減させることが可能となり、これによって廉価化にて高輝度発光のバックライト装置が実現可能となるという極めて優れた効果が得られる。
【００３０】
また、本発明による液晶表示装置によれば、液晶表示パネルの背面にバックライト装置から高輝度の面状光源光が照射されるので、高輝度でしかも高品位の画像表示が廉価にて実現可能となるなどの極めて優れた効果が得られる。
【発明を実施するための最良の形態】
【００３１】
以下、本発明によるバックライト装置及びこのバックライト装置を備えた液晶表示装置の具体的な実施の形態について、各実施例の図面を参照して詳細に説明する。
【００３２】
図１は、本発明によるバックライト装置の原理を説明する要部拡大斜視図である。なお、この図１では、主要部のみの構成を示し、他の構成部材は図示していない。図１において、本発明による線状光源直下型のバックライト装置ＢＬは、図示しない液晶表示パネルの背面に対向して光源光を放射させる複数本の線状光源としての冷陰極蛍光ランプＣＦＬが等間隔で並列に配列されて設置されている。
【００３３】
また、複数配列された冷陰極蛍光ランプＣＦＬの背面側には、冷陰極蛍光ランプＣＦＬの長さ方向に沿って各冷陰極蛍光ランプＣＦＬを背面側から囲むように略楕円曲面を有する凹部としての凹溝ＤＴＨが一体形成され、この凹溝ＤＴＨの表面が光反射面となる反射板ＲＥＰが配設されて構成されている。この反射板ＲＥＰは、例えば、アルミニウム板などの光反射性金属板の一体成形により形成されている。
【００３４】
このように構成されたバックライト装置ＢＬにおいて、複数の冷陰極蛍光ランプＣＦＬから放射された光は、その一部が上方に設置される図示しない液晶表示パネルの背面に向かって照射されるが、他の大部分が反射板ＲＥＰの略楕円曲面を有する凹溝ＤＴＨの表面により約９５％以上の反射率で鏡面反射（正反射）され、上部に設置される液晶表示パネルの背面方向に向かって面状光源光として照射される。なお、ここで言う鏡面反射とは、冷陰極蛍光ランプＣＦＬから放射された光が略楕円曲面の光反射面に入射する角度と、その光反射面から反射する角度とが等しくなる光反射である。
【００３５】
このような構成によれば、複数の冷陰極蛍光ランプＣＦＬから反射板ＲＥＰの凹溝ＤＴＨの表面に放射された光は、液晶表示パネルの背面に向かって鏡面反射されるので、放射光の利用効率が大幅に向上し、高輝度の面状光源光が得られる。
【実施例１】
【００３６】
図２は、本発明によるバックライト装置及びこのバックライト装置を搭載した液晶表示装置の実施例１の構成を説明する要部縦断面図である。図２において、参照符号ＰＮＬは内面に画素形成用の電極を有する一対の透光性基板間に液晶層が挟持されて構成された表示パネルとしての液晶表示パネルであり、この液晶表示パネルＰＮＬは、第１の基板ＳＵＢ１と第２の基板ＳＵＢ２との間に液晶層を挟持してなり、透光性ガラス板からなる第１の基板ＳＵＢ１と第２の基板ＳＵＢ２との双方または一方の内面に画素形成用の電極またはアクティブ素子などを有している。なお、薄膜トランジスタ（ＴＦＴ）などのアクティブ素子を形成した第１の基板ＳＵＢ１をアクティブ・マトリクス基板と称し、薄膜トランジスタを用いたものをＴＦＴ基板とも称する。
【００３７】
また、第１の主面（バックライト装置側）には第１の偏光板ＰＯＬ１が、第２の主面（表示面側）には第２の偏光板ＰＯＬ２がそれぞれ貼り付けなどにより積層されて設置されている。さらに、この液晶表示パネルＰＮＬの背面側には、所定距離離間して光学補償シート積層体ＯＰＳが設置されている。この光学補償シート積層体ＯＰＳは、後述するバックライト装置側からプリズムレンズＰＺＬ，拡散シートＤＦＳ及び偏光反射シートＰＲＳの順に貼り付けなどの手段により積層されて構成されている。
【００３８】
また、この光学補償シート積層体ＯＰＳの背面側には、本発明によるバックライト装置ＢＬが設置されている。このバックライト装置ＢＬは、上記光学補償シート積層体ＯＰＳの背面に対向して所定距離離間して液晶表示パネルＰＮＬの背面に光源光を照射させる複数の冷陰極蛍光ランプＣＦＬが等間隔で並列に配列されて設置されている。これらの複数の冷陰極蛍光ランプＣＦＬは、図示しないが、例えば、サイドモールドなどにより挟持されて所定間隔で並列に配列して支持されて設置される構造となっている。
【００３９】
また、複数配列された冷陰極蛍光ランプＣＦＬを背面側には、冷陰極蛍光ランプＣＦＬの長さ方向に沿って各冷陰極蛍光ランプＣＦＬを背面側から囲むように略楕円曲面を有する凹溝ＤＴＨが一体的に形成されてこの凹溝ＤＴＨの表面に光反射面を形成する耐熱性樹脂材の成形体からなる反射体ＲＥＭが配設されている。
【００４０】
また、この反射体ＲＥＭには、図３（ａ）に要部拡大断面図及び図３（ｂ）にその拡大平面図にそれぞれ示すように一部の凹溝ＤＴＨの底部中心近傍に冷陰極蛍光ランプＣＦＬの長さ方向に沿ってこの反射体ＲＥＭの射出成形後に痕跡として残留するバルブゲート口ＶＧがほぼ均等に点在されて一体的に形成されている。なお、このバルブゲート口ＶＧの直径は、冷陰極蛍光ランプＣＦＬの直径よりも小さい約３ｍｍ程度である。さらに、この反射体ＲＥＭの周縁部には、図２に示すように光学補償シート積層体ＯＰＳなどを所定位置に載置して保持するフランジ部ＦＬＧが一体的に形成されている。
【００４１】
また、この反射体ＲＥＭは、複数の凹溝ＤＴＨ及びバルブゲート口ＶＧを含む底面の表面には、例えば、アルミニウムまたは銀などの光反射性金属をスパッタリング法または蒸着法などの手段により被着形成させて金属反射膜ＲＥＳが成膜されている。
【００４２】
なお、上記のようにバルブゲート口ＶＧを、各反射体ＲＥＭの中心部にある一部の凹溝ＤＴＨの底部に形成するものに代えて、各反射体ＲＥＭの凹溝ＤＴＨの底部中心近傍にその長さ方向に沿って射出成形後の複数のバルブゲートＶＧをほぼ均等に点在させることもできる。
【００４３】
このように構成されたバックライト装置ＢＬは、図４に要部拡大断面図で示すように各冷陰極蛍光ランプＣＦＬから放射された出射光は、略半楕円曲面状の各凹溝ＤＴＨの表面に成膜された金属反射膜ＲＥＳにより光学補償シートＯＰＳに向かって略全面的に鏡面反射（正反射）される。これによって冷陰極蛍光ランプＣＦＬからの出射光が効率よく利用でき、しかも、光学補償シート積層体ＯＰＳによる光の吸収及び戻り光などを発生させることなく、効率良く透過されて液晶表示パネルＰＮＬの背面に面状光源光として照射されることになる。
【００４４】
したがって、冷陰極蛍光ランプＣＦＬから放射される出射光の利用効率を大幅に向上させた面状光源光が得られるので、所定の輝度（光量）を得るには、陰極蛍光ランプＣＦＬの設置数量を低減することが可能となり、バックライト装置ＢＬを低価格にて提供できる。また、バックライト装置ＢＬの消費電力を低下させることができる。さらに、冷陰極蛍光ランプＣＦＬの設置数量を同数量とすると、液晶表示パネルＰＮＬの背面に出射光の利用効率の高い高輝度の面状光源光を投射することができる。
【００４５】
図５は、本発明に係わるバックライト装置ＢＬの反射体ＲＥＭを成形する製造装置１０の概略構成を説明する要部拡大断面図であって、図５（ａ）はキャビティ１３に樹脂材を充填し、金型を開いた型開きの状態を示し、図５（ｂ）は型開き後、エジェクターピン１８により樹脂材で形成された反射体ＲＥＭを突き出した状態を示す。なお、図中、同一符合は同一部分を示す。
【００４６】
図５（ａ）において、凹溝加工された固定側金型１１と対応する可動側金型１２とを閉じた状態で溶融した樹脂材を、射出スクリュー１４を通し、ノズル１５から射出し、キャビティ１３内に充填して反射体ＲＥＭを成形する。
【００４７】
その後、可動側金型１２に設けられた可動盤１６を移動し、固定盤１７に設けられた固定側金型１１と可動側金型１２とを開く。この型開きの際に、反射体ＲＥＭの冷却固化は、可動側金型１２より固定側金型１１のほうが金型接触時間が短く、進行していないので、離型抵抗は、固定側金型１１の凹溝加工面よりも可動側金型１２のキャビティ１３内の長手・短手方向のテンション（張り）と平面（鏡面）のほうが大きく、反射体ＲＥＭは可動側金型１２に張り付いて移動する。したがって、反射体ＲＥＦの固定側金型１１からの離型性に何ら問題がない。
【００４８】
次に、図５（ｂ）に示すように反射体ＲＥＦは、エジェクターピン１８により突き出される。この際、反射体ＲＥＭは、型開き後も可動側金型１２に接触しているので、反射体ＲＥＦの凹溝面は、その凹面よりも金型への接触面積が少ないために離型抵抗が小さく、離型性が良い。
【００４９】
したがって、反射体ＲＥＭは、キャビティ１３内から小さな力で離型することができるので、反射体ＲＥＭの変形及びクラックの発生等を確実に抑えることができる。
【００５０】
このようにして形成された反射体ＲＥＭは、各凹溝ＤＴＨの底部にその長さ方向に沿って複数のバルブゲートＶＧをほぼ均等に点在させて一体的に形成することにより、これらの複数のバルブゲートＶＧから溶融した樹脂材を同時に射出させ、その流動を均一化させて成形されるので、反射体ＲＥＭの射出成形に起因する薄肉化及び形状変形などを抑止することができるとともに、ウエルドのような段差が形成され難くなる。
【００５１】
また、このように構成される反射体ＲＥＭは、例えば、３２型または４２型などの大型の液晶表示パネルにより構成される液晶テレビなどの反射板として用いられるので、上記現象が発生し易いことが知られており、このような大型化に起因する薄肉化及び形状変形などの発生を確実に抑止することができるので、極めて有効である。
【実施例２】
【００５２】
図６は、本発明によるバックライト装置及びこのバックライト装置を搭載した液晶表示装置の実施例２の構成を説明する要部縦断面図であり、前述した図と同一部分には同一符号を付し、その説明は省略する。図６において、図２と異なる点は、等間隔で複数配列された冷陰極蛍光ランプＣＦＬの背面側に配置される反射体ＲＥＣがシクロオレフィン樹脂材の成形体のみにより形成されている。この構成では、反射体ＲＥＣの表面には反射膜が形成されない構造となっている。つまり、反射膜を不要として各凹溝ＤＴＨ内の表面が反射機能を有して形成されている。
【００５３】
このような構成において、反射体ＲＥＣの形成材料にシクロオレフィン樹脂材を用いることにより、このシクロオレフィン樹脂は流動に優れ、金型表面への転写性が極めて高い樹脂であることから、金型温度を生産性の高い約１２０℃程度の低温度に設定しても、ウエルドラインを消すことができるので、金型から取り出す温度が低くなり、反射体ＲＥＣの形状変形などが発生し難くなくなる。したがって、反射体ＲＥＣを廉価にて製作することが可能となる。
【００５４】
また、このような構成において、反射体ＲＥＣをシクロオレフィン樹脂材の成形体により構成することにより、金属製の反射膜を不要として反射膜とほぼ同等の光反射性の高い反射機能が得られる。また、各凹溝ＤＴＨ底部中心近傍に冷陰極蛍光ランプＣＦＬの長さ方向に沿って形成される射出成形後の痕跡として残留するバルブゲート口ＶＧは、冷陰極蛍光ランプ長さ方向に沿って直下に位置するので、光学的にも物理的にも影響を及ぼすことは全くない。
【００５５】
なお、上記各実施例において、反射体として耐熱性樹脂材またはシクロオレフィン樹脂材の成形体で構成した場合について説明したが、本発明はこれに限定されるものではなく、耐熱性樹脂材に例えば、アルミニウム，銀またはそれらの合金などの反射性金属粉末を混在させた成形体により構成しても、凹溝ＤＴＨの表面に反射膜の形成を不要として上記同様の作用効果が得られる。
【００５６】
したがって、前述した各実施例によるバックライト装置ＢＬを液晶表示パネルＰＮＬの背面に配設することによって、液晶表示パネルＰＮＬの背面には、光学補償シート積層体ＯＰＳを介して高輝度の面状光源光が照射されるので、液晶表示パネルＰＮＬには高輝度でしかも色再現性の高い画像表示が得られる。
【００５７】
図７及び図８は、本発明による液晶表示装置の全体構成の一例を具体的に説明する図であり、図７は上部から見た平面図、図８はその要部展開斜視図である。図７及び図８において、このバックライト装置ＢＬは、樹脂成形体からなる上側モールドフレームＵＭＬＤと、プリズムレンズＰＺＬ，拡散シートＤＦＳ及び偏光反射シートＰＲＳからなる光学補償シートＯＰＳと、上側サイドモールドと下側サイドモールドとで構成されるサイドモールドＳＭＬＤの両端部により挟持された複数の冷陰極蛍光ランプＣＦＬと、これら複数の冷陰極蛍光ランプＣＦＬ背面側にこの長さ方向に沿って反射面となる凹溝ＤＴＨが一体形成された反射板ＲＥＰと、この反射板ＲＥＰを保持する下側モールドフレームＬＭＬＤとが順次積層され、図７に示すように上側モールドフレームＵＭＬＤと下側モールドフレームＬＭＬＤとの間に挟持させて両者を結合させることによって一体化されて構成される。
【００５８】
このように構成される液晶表示装置において、液晶表示パネルＰＮＬには、複数の冷陰極蛍光ランプＣＦＬ及び表面に反射面となる凹溝ＤＴＨが形成された反射板ＲＥＰ等で構成されたバックライト装置ＢＬからの高輝度の面状光源光が光学補償シート積層体ＯＰＳを介して照射され、この液晶表示パネルＰＮＬに形成された電子潜像を可視化して観察者の目に出射されて認識される。
【００５９】
図９は、本発明の液晶表示装置として液晶表示モジュールを実装した電子機器の一例であるテレビ受像機の外観図である。図９において、このテレビ受像機は表示部ＤＳＰとスタンド部ＳＴＤとから構成され、比較的大きいサイズの画面を有する液晶表示パネルＰＮＬを有する液晶表示装置が表示部ＤＳＰに実装される。液晶表示装置の画面となる液晶表示パネルＰＮＬの有効表示領域は表示部ＤＳＰに露呈されている。このテレビ受像機の表示部ＤＳＰに本発明による高輝度の面状光源が得られるバックライト装置を実装することにより、高輝度及び高品位の表示画像が得られる液晶表示装置が実現できる。
【００６０】
なお、上述した実施例において、冷陰極蛍光ランプ直下型バックライト装置を、液晶表示パネルを実装した液晶テレビ受像機に適用した場合について説明したが、上記構成によるバックライト装置を用いた大型液晶モニタ，車載用液晶ディスプレイ（液晶カーナビゲーション），ゲーム機用液晶ディスプレイ，医療用液晶モニタ，印刷／デザイン用液晶モニタなどの表示装置に適用しても前述と同様の効果が得られる。
【図面の簡単な説明】
【００６１】
【図１】本発明によるバックライト装置の原理を説明する要部拡大斜視図である。
【図２】本発明によるバックライト装置及びこのバックライト装置を用いた液晶表示装置の実施例１による構成を示す要部断面図である。
【図３】図２に示すバックライト装置の構成の詳細を示す要部拡大図であり、図３（ａ）は断面図、図３（ｂ）は上方から見た平面図である。
【図４】図３に示すバックライト装置を装着した液晶表示装置の構成を示す要部拡大断面図である。
【図５】本発明によるバックライト装置の反射体を成形する製造装置の概略構成を説明する要部拡大断面図であり、図５（ａ）はキャビティに樹脂材を充填し、金型を開いた型開きの状態を示す図、図５（ｂ）は型開き後、エジェクターピンにより樹脂材で形成された反射体を突き出した状態を示す図である。
【図６】本発明によるバックライト装置及びこのバックライト装置を用いた液晶表示装置の実施例２による構成を示す要部断面図である。
【図７】本発明による液晶表示装置の一例を示す上部から見た要部平面図である。
【図８】本発明による液晶表示装置の一例を示す要部展開斜視図である。
【図９】本発明による液晶表示装置を備えたテレビ受像機を示す外観図である。
【図１０】従来の液晶表示装置の構成を示す要部拡大断面図である。
【符号の説明】
【００６２】
ＰＮＬ・・・液晶表示パネル、ＳＵＢ１・・・第１の基板、ＳＵＢ２・・・第２の基板、ＰＯＬ１・・・第１の偏光板、ＰＯＬ２・・・第２の偏光板、ＯＰＳ・・・光学補償シート積層体、ＰＺＬ・・・プリズムレンズ、ＤＦＳ・・・拡散シート、ＰＲＳ・・・偏光反射シート、ＢＬ・・・バックライト装置、ＲＥＰ・・・反射板、ＲＥＭ・・・反射体、ＲＥＣ・・・反射体、ＲＥＳ・・・反射膜、ＤＴＨ・・・凹溝、ＶＧ・・・バルブゲート口、ＦＬＧ・・・フランジ部、ＣＦＬ・・冷陰極蛍光ランプ、ＵＳＭ・・・上側サイドモールド、ＬＳＭ・・・下側サイドモールド、ＳＭＬＤ・・・サイドモールド、ＵＭＬＤ・・・上側モールドフレーム、ＬＭＬＤ・・・下側モールドフレーム、ＳＭＬＤ・・・サイドモールド、ＤＳＰ・・・表示部、ＳＴＤ・・・スタンド部。
【図１】
2006119600.tif 000003
【図２】
2006119600.tif 000004
【図３】
2006119600.tif 000005
【図４】
2006119600.tif 000006
【図５】
2006119600.tif 000007
【図６】
2006119600.tif 000008
【図７】
2006119600.tif 000009
【図８】
2006119600.tif 000010
【図９】
2006119600.tif 000011
【図１０】
2006119600.tif 000012